(57)【要約】【課題】光ディスクに情報を記録する際の記録パワーを適切な記録パワーに補正する。【解決手段】光ディスクへの記録が連続するトラックに対して行われる際に、複数のトラックにおける既記録トラックと未記録トラックの境界を含む連続した複数トラックを評価領域とし、該評価領域からの反射光により、反射率をトラック毎に求める（ステップＳ４１５）。そして、トラック毎の反射率から、既記録トラックに情報が記録されたときの記録パワーの、適切な記録パワーからのずれに関する情報を求め（ステップＳ４１７、Ｓ４１９）、該ずれに関する情報に基づいて記録パワーを補正する（ステップＳ４２１）。ここでは、既記録トラックと未記録トラックの境界近傍の連続した複数トラックからの情報を用いて記録パワーを補正しているため、光ディスクに情報を記録する際の記録パワーを適切な記録パワーに補正することが可能となる。【選択図】図１１
2008234719.tif 000002
【特許請求の範囲】
【請求項１】
情報の記録が可能な複数のトラックを有する光ディスクに情報を記録する際の記録パワーを補正する記録パワー補正方法であって、
前記光ディスクへの記録は、連続するトラックに対して行われ、
前記複数のトラックにおける既記録トラックと未記録トラックの境界を含む連続した複数トラックを評価領域とし、該評価領域からの反射光により、記録パワーに依存する評価情報をトラック毎に求める工程と；
前記トラック毎の評価情報から、前記既記録トラックに情報が記録されたときの記録パワーを補正する工程と；を含む記録パワー補正方法。
【請求項２】
前記評価領域は、少なくとも５つの既記録トラックと少なくとも４つの未記録トラックを含むことを特徴とする請求項１に記載の記録パワー補正方法。
【請求項３】
前記記録パワーを補正する工程は、
前記トラック毎の評価情報がフィットする関数を求める工程と；
前記関数と、予め得られている適切な記録パワーで記録されたときの関数との差に関する情報を求める工程と；
前記差に関する情報に基づいて、記録パワーを補正する工程と；を含むことを特徴とする請求項１又は２に記載の記録パワー補正方法。
【請求項４】
前記評価情報は、規格化されていることを特徴とする請求項１〜３のいずれか一項に記載の記録パワー補正方法。
【請求項５】
前記評価情報は、反射率、変調度、アシンメトリ、ウォブル信号の振幅、及びウォブル信号のＳＮ比のいずれかであることを特徴とする請求項１〜４のいずれか一項に記載の記録パワー補正方法。
【請求項６】
情報の記録が可能な複数のトラックを有する光ディスクに情報を記録する記録方法であって、
請求項１〜５のいずれか一項に記載の記録パワー補正方法によって補正された記録パワーで情報を記録する工程を含む記録方法。
【請求項７】
情報の記録が可能な複数のトラックを有する光ディスクに対する情報の記録が可能な光ディスク装置に用いられるプログラムであって、
前記光ディスクへの記録が、連続するトラックに対して行われるときに、
前記複数のトラックにおける既記録トラックと未記録トラックの境界を含む連続した複数トラックを評価領域とする手順と；
前記評価領域からの反射光により、記録パワーに依存する評価情報をトラック毎に求める手順と；
前記トラック毎の評価情報から、前記既記録トラックに情報が記録されたときの記録パワーを補正する手順と；を前記光ディスク装置の制御用コンピュータに実行させるプログラム。
【請求項８】
前記記録パワーを補正する手順として、
前記トラック毎の評価情報がフィットする関数を求める手順と；
前記関数と、予め得られている適切な記録パワーで記録されたときの関数との差に関する情報を求める手順と；
前記差に関する情報に基づいて、記録パワーを補正する手順と；を前記制御用コンピュータに実行させることを特徴とする請求項７に記載のプログラム。
【請求項９】
請求項７又は８に記載のプログラムが記録されたコンピュータ読み取り可能な記録媒体。
【請求項１０】
情報の記録が可能な複数のトラックを有する光ディスクに情報を記録することができる光ディスク装置であって、
前記光ディスクに光を照射し、反射光を受光する光ピックアップ装置と；
前記光ディスクへの記録が連続するトラックに対して行われるときに、前記複数のトラックにおける既記録トラックと未記録トラックの境界を含む連続した複数トラックを評価領域とし、前記光ピックアップ装置を介して得られた前記評価領域からの反射光の光電変換信号を用いて、記録パワーに依存する評価情報をトラック毎に求め、該トラック毎の評価情報から、前記既記録トラックに情報が記録されたときの記録パワーを補正する処理装置と；を備える光ディスク装置。
【請求項１１】
前記処理装置は、前記トラック毎の評価情報がフィットする関数を求め、該関数と、予め得られている適切な記録パワーで記録されたときの関数との差に関する情報に基づいて、記録パワーを補正することを特徴とする請求項１０に記載の光ディスク装置。
【請求項１２】
請求項１０又は１１に記載の光ディスク装置と；
前記光ディスク装置を制御する制御装置と；を備える情報処理装置。
【請求項１３】
情報の記録が可能な複数のトラックを有する光ディスクにおいて、
前記複数のトラックにおける連続するトラックに情報が記録されたときに、既記録トラックと未記録トラックの境界を含む連続した複数トラックから得られる記録パワーに依存する情報が、適切な記録パワーを含む複数の異なる記録パワー毎に、プリフォーマットされていることを特徴とする光ディスク。
【発明の詳細な説明】
【技術分野】
【０００１】
本発明は、記録パワー補正方法、記録方法、プログラム、記録媒体、光ディスク装置、情報処理装置及び光ディスクに係り、さらに詳しくは、複数のトラックを有する光ディスクに情報を記録する際の記録パワーを補正する記録パワー補正方法、複数のトラックを有する光ディスクに情報を記録する記録方法、光ディスクに対する情報の記録が可能な光ディスク装置、該光ディスク装置を備える情報処理装置、前記光ディスク装置で用いられるプログラム、該プログラムが記録された記録媒体、情報の記録が可能な複数のトラックを有する光ディスクに関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための媒体として、ＤＶＤ（Ｄｉｇｉｔａｌ  Ｖｅｒｓａｔｉｌｅ  Ｄｉｓｃ）などの光ディスクが注目されるようになり、その低価格化とともに、光ディスクを情報記録の対象媒体とする光ディスク装置が普及するようになった。
【０００３】
光ディスク装置には、光ディスクの記録面にレーザ光を照射するとともに、記録面からの反射光を受光するために、光ピックアップ装置が設けられている。
【０００４】
通常、光ピックアップ装置は、対物レンズを含み、光源から射出される光を光ディスクの記録面に導くとともに、記録面で反射された戻り光を所定の受光位置まで導く光学系、前記受光位置に配置された光検出器、及び対物レンズをその光軸方向（以下「フォーカス方向」ともいう）や、トラックの接線方向に直交する方向（以下「トラッキング方向」ともいう）に駆動するためのレンズ駆動装置などを備えている。光検出器からは、記録面に記録されているデータの再生情報だけでなく、対物レンズの位置制御に必要な情報（サーボ情報）を含む信号が出力される。
【０００５】
ところで、互いに反射率の異なるマーク及びスペースのそれぞれの長さとそれらの組み合わせとによって光ディスクに情報が記録される。
【０００６】
そこで、光ディスク装置では、記録に際して、光ディスクに目標長さのマーク及びスペースがそれぞれ形成されるように、情報の記録に先立って、予め設定されているＰＣＡ（Ｐｏｗｅｒ  Ｃａｌｉｂｒａｔｉｏｎ  Ａｒｅａ）と呼ばれる試し書き領域に試し書きを行って、最適な記録パワーを取得している。この処理は、ＯＰＣ（Ｏｐｔｉｍｕｍ  Ｐｏｗｅｒ  Ｃｏｎｔｒｏｌ）処理と呼ばれている。
【０００７】
特許文献１には、光情報記録媒体上の規定された試験記録領域に、記録パワーを逐次変化させつつ試験記録を行い、試験記録済み領域を再生し、その再生信号を評価するに際し、試験記録動作の前に、パルス状に強度変調した光を試験記録領域の全部又は一部に照射及び走査することを特徴とする光情報記録媒体の最適記録パワー設定方法が開示されている。
【０００８】
特許文献２には、光ビームを光ディスクに照射して信号を記録する光ディスク記録方法であって、光ディスクにパワーレベルを変化させた光ビームを照射させて信号を記録し、信号を再生して変調度を測定し、変調度からターゲット変調度に関連したターゲットパワーレベルを決定し、光ディスクにターゲットパワーレベルから所定範囲のパワーレベルの光ビームを照射して信号を記録し、信号を再生して変調度を測定し、所定範囲のパワーレベルと、所定範囲のパワーレベル及び変調度の積との関係を一次関数によって近似してパワーレベルを決定し、光ディスクにパワーレベルの光ビームを照射して信号を記録することを特徴とする光ディスク記録方法が開示されている。
【０００９】
特許文献３には、光ディスクの回転速度を内周側から外周側に向かって段階的に大きくして情報の記録を行う光ディスクの記録方法において、光ディスクの回転速度を切り替える際に記録動作を一旦停止してこの時点でのβ値を測定し、測定されたβ値と目標β値とを比較してβ値を補正し、β値の補正に対応してレーザ光の記録パワーを調整して情報の記録を行うことを特徴とする記録パワーの制御方法が開示されている。
【００１０】
【特許文献１】特開２００６−８５８７９号公報
【特許文献２】特開２００５−１４９５３８号公報
【特許文献３】特開２００５−９２９５０号公報
【発明の開示】
【発明が解決しようとする課題】
【００１１】
ところで、近年、光ディスクの高密度化が進んできている。そして、それに伴って書込み速度のさらなる高速化が期待されている。しかしながら、高密度化及び高速化が進むと、記録パワーの適正値のマージンが狭くなり、ＯＰＣ処理で得られた記録パワーが必ずしも適切な記録パワーとならないおそれがある。
【００１２】
本発明は、かかる事情の下になされたもので、その第１の目的は、光ディスクに情報を記録する際の記録パワーを適切な記録パワーに補正することができる記録パワー補正方法を提供することにある。
【００１３】
また、本発明の第２の目的は、光ディスクに安定した記録品質で記録を行うことができる記録方法を提供することにある。
【００１４】
また、本発明の第３の目的は、光ディスク装置の制御用コンピュータにて実行され、光ディスクに情報を記録する際の記録パワーを適切な記録パワーに補正することができるプログラム、及びそのプログラムが記録された記録媒体を提供することにある。
【００１５】
また、本発明の第４の目的は、光ディスクに安定した記録品質で記録を行うことができる光ディスク装置を提供することにある。
【００１６】
また、本発明の第５の目的は、光ディスクに対して、安定したアクセスを行うことができる情報処理装置を提供することにある。
【００１７】
また、本発明の第６の目的は、安定した記録品質で情報を記録することができる光ディスクを提供することにある。
【課題を解決するための手段】
【００１８】
本発明は、第１の観点からすると、情報の記録が可能な複数のトラックを有する光ディスクに情報を記録する際の記録パワーを補正する記録パワー補正方法であって、前記光ディスクへの記録は、連続するトラックに対して行われ、前記複数のトラックにおける既記録トラックと未記録トラックの境界を含む連続した複数トラックを評価領域とし、該評価領域からの反射光により、記録パワーに依存する評価情報をトラック毎に求める工程と；前記トラック毎の評価情報から、前記既記録トラックに情報が記録されたときの記録パワーを補正する工程と；を含む記録パワー補正方法である。
【００１９】
これによれば、光ディスクへの記録が連続するトラックに対して行われる際に、複数のトラックにおける既記録トラックと未記録トラックの境界を含む連続した複数トラックを評価領域とし、該評価領域からの反射光により、記録パワーに依存する評価情報がトラック毎に求められる。そして、トラック毎の評価情報から、既記録トラックに情報が記録されたときの記録パワーが補正される。すなわち、既記録トラックと未記録トラックの境界近傍の連続した複数トラックからの情報を用いて記録パワーを補正している。従って、光ディスクに情報を記録する際の記録パワーを適切な記録パワーに補正することが可能となる。
【００２０】
本発明は、第２の観点からすると、情報の記録が可能な複数のトラックを有する光ディスクに情報を記録する記録方法であって、本発明の記録パワー補正方法によって補正された記録パワーを用いて情報を記録する工程を含む記録方法である。
【００２１】
これによれば、本発明の記録パワー補正方法によって補正された記録パワーを用いているため、光ディスクに安定した記録品質で記録を行うことが可能となる。
【００２２】
本発明は、第３の観点からすると、情報の記録が可能な複数のトラックを有する光ディスクに対する情報の記録が可能な光ディスク装置に用いられるプログラムであって、前記光ディスクへの記録が、連続するトラックに対して行われるときに、前記複数のトラックにおける既記録トラックと未記録トラックの境界を含む連続した複数トラックを評価領域とする手順と；前記評価領域からの反射光により、記録パワーに依存する評価情報をトラック毎に求める手順と；前記トラック毎の評価情報から、前記既記録トラックに情報が記録されたときの記録パワーを補正する手順と；を前記光ディスク装置の制御用コンピュータに実行させるプログラムである。
【００２３】
これによれば、本発明のプログラムが所定のメモリにロードされ、その先頭アドレスがプログラムカウンタにセットされると、光ディスク装置の制御用コンピュータは、光ディスクへの記録が連続するトラックに対して行われる際に、複数のトラックにおける既記録トラックと未記録トラックの境界を含む連続した複数トラックを評価領域とし、該記評価領域からの反射光により、記録パワーに依存する評価情報をトラック毎に求め、そのトラック毎の評価情報から、既記録トラックに情報が記録されたときの記録パワーを補正する。すなわち、既記録トラックと未記録トラックの境界近傍の連続した複数トラックからの情報を用いて記録パワーを補正している。従って、光ディスクに情報を記録する際の記録パワーを適切な記録パワーに補正することが可能となる。
【００２４】
本発明は、第４の観点からすると、本発明のプログラムが記録されたコンピュータ読み取り可能な記録媒体である。
【００２５】
これによれば、本発明のプログラムが記録されているために、コンピュータに実行させることにより、光ディスクに情報を記録する際の記録パワーを適切な記録パワーに補正することが可能となる。
【００２６】
本発明は、第５の観点からすると、情報の記録が可能な複数のトラックを有する光ディスクに情報を記録することができる光ディスク装置であって、前記光ディスクに光を照射し、反射光を受光する光ピックアップ装置と；前記光ディスクへの記録が連続するトラックに対して行われるときに、前記複数のトラックにおける既記録トラックと未記録トラックの境界を含む連続した複数トラックを評価領域とし、前記光ピックアップ装置を介して得られた前記評価領域からの反射光の光電変換信号を用いて、記録パワーに依存する評価情報をトラック毎に求め、該トラック毎の評価情報から、前記既記録トラックに情報が記録されたときの記録パワーを補正する処理装置と；を備える光ディスク装置である。
【００２７】
これによれば、光ディスクへの記録が連続するトラックに対して行われるときに、処理装置によって、複数のトラックにおける既記録トラックと未記録トラックの境界を含む連続した複数トラックからなる評価領域からの反射光の光電変換信号を用いて、記録パワーに依存する評価情報がトラック毎に求められ、該トラック毎の評価情報から、既記録トラックに情報が記録されたときの記録パワーが補正される。すなわち、既記録トラックと未記録トラックの境界近傍の連続した複数トラックからの情報を用いて記録パワーを補正している。従って、光ディスクに安定した記録品質で記録を行うことが可能となる。
【００２８】
本発明は、第６の観点からすると、本発明の光ディスク装置と；前記光ディスク装置を制御する制御装置と；を備える情報処理装置である。
【００２９】
これによれば、本発明の光ディスク装置を備えているため、結果として、光ディスクに対して、安定したアクセスを行うことが可能となる。
【００３０】
本発明は、第７の観点からすると、情報の記録が可能な複数のトラックを有する光ディスクにおいて、前記複数のトラックにおける連続するトラックに情報が記録されたときに、既記録トラックと未記録トラックの境界を含む連続した複数トラックから得られる記録パワーに依存する情報が、適切な記録パワーを含む複数の異なる記録パワー毎に、プリフォーマットされていることを特徴とする光ディスクである。
【００３１】
これによれば、本発明の光ディスクがセットされた光ディスク装置は、情報を記録する際の記録パワーを適切な記録パワーに補正することが容易にでき、その結果、安定した記録品質で情報を記録することが可能となる。
【発明を実施するための最良の形態】
【００３２】
以下、本発明の一実施形態を図１〜図１５に基づいて説明する。図１には、本発明の一実施形態に係る光ディスク装置２０の概略構成が示されている。
【００３３】
この図１に示される光ディスク装置２０は、本発明の一実施形態に係る光ディスク１５を回転駆動するスピンドルモータ２２、光ピックアップ装置２３、該光ピックアップ装置２３をスレッジ方向に駆動するシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。
【００３４】
光ディスク１５は、ビスマス（Ｂｉ）の酸化物を主成分とする記録層を有し、ブルー・レイ・ディスクの規格に準拠した追記型のディスク（ＢＤ−Ｒ：Ｂｌｕ−ｒａｙ  Ｄｉｓｃ  Ｒｅｃｏｒｄａｂｌｅ）である。そして、光ディスク１５には、スパイラル状のグルーブ（溝）が形成されている。そして、そのグルーブに情報が記録される。すなわち、グルーブは、いわゆる情報トラックである。この情報トラックは、スパイラル方向に連続する複数のトラックに分割されており、各トラックには、ディスク内周側から外周側に向かって連続的に増加するトラック番号が付されている。
【００３５】
《記録ストラテジ情報》
記録ストラテジ情報は、マークの長さｎＴ（ｎ＝２〜９、Ｔは記録チャネルクロックの周期）に応じた発光波形を規定する各種パラメータを含んで構成されている。ここでは、一例として図２（Ａ）〜図４（Ｂ）に示されるように、８倍速のＤＶＤ−Ｒや１６倍速のＤＶＤ＋Ｒで採用されている記録ストラテジを用いた。なお、図２（Ａ）には２Ｔマークが形成されるときの発光波形が示され、図２（Ｂ）には３Ｔマークが形成されるときの発光波形が示され、図２（Ｃ）には４Ｔマークが形成されるときの発光波形が示されている。また、図３（Ａ）には５Ｔマークが形成されるときの発光波形が示され、図３（Ｂ）には６Ｔマークが形成されるときの発光波形が示され、図３（Ｃ）には７Ｔマークが形成されるときの発光波形が示されている。さらに、図４（Ａ）には８Ｔマークが形成されるときの発光波形が示され、図４（Ｂ）には９Ｔマークが形成されるときの発光波形が示されている。
【００３６】
発光波形のパルス幅を規定するパラメータ（Ｔｔｏｐ、ｄＴｏｐ、Ｔｌｐ、ｄＴｌｐ、ｄＴｓ）は、２Ｔ〜９Ｔマークそれぞれにおいて、固有に設定することが可能である。なお、各パラメータの具体的な値の一例が図５に示されている。
【００３７】
照射されるパワーは、Ｐｗ（記録パワー又は記録レベル）、Ｐｍ（中間パワー又は中間レベル）、Ｐｓ（スペース・パワー又はスペース・レベル）、Ｐｂ（ベース・パワー又はベース・レベル）のいずれかに設定される。これらは、Ｐｗ＞Ｐｍ＞Ｐｓ＞Ｐｂの関係にある。これらの比率は固定されるのが一般的であるが、個別に設定することも可能である。なお、これらをマーク長によって個別に設定することは、パワー設定が複雑になるため好ましくない。
【００３８】
《光ディスクの評価》
光ディスク１５の評価は、記録ストラテジを除き、ＢＤ−Ｒの国際標準規格に準拠した手法で行った。書込み速度は４倍速であり、ＲＬＬ（１，７）で、２Ｔ，３Ｔ，…９Ｔのマーク及びスペースを用いて情報を記録した。なお、記録および記録後の信号測定には、市販のＢＤ−Ｒ用の記録信号評価装置である、ＯＤＵ１０００（パルステック社製）を用いた。
【００３９】
Ｐｍ／Ｐｗ＝０．８２、Ｐｓ／Ｐｗ＝０．１８、Ｐｂ＝０．１ｍＷとし、連続する１１トラックに情報を記録し、その中心のトラック（６番目のトラック）の反射率及びジッタを測定した。その測定結果が図６に示されている。図６におけるＲ８Ｈは、８Ｔスペース部の反射率である。ＢＤ−Ｒの標準規格書によると、反射率Ｒ８Ｈは１１〜２４％，ジッタは６．５％以下と設定されている。光ディスク１５は、最適な記録パワーである７．８ｍＷ近傍で、反射率Ｒ８Ｈ及びジッタのいずれについても十分に規格を満足している。
【００４０】
ところで、連続して１１トラックに記録したときの中心のトラックでの反射率Ｒ８ＨとＰｗとの関係、及び１トラックにのみ記録したときの該トラックでの反射率Ｒ８ＨとＰｗとの関係が、図７に示されている。これによると、連続して１１トラックに記録したときの中心のトラックでの反射率Ｒ８Ｈは、Ｐｗが増加するにつれて低下している。一方、１トラックにのみ記録したときの該トラックでの反射率Ｒ８Ｈは、Ｐｗが増加してもあまり低下していない。これは、Ｐｗの増加により記録マークの幅が増大し、隣接するトラックに影響するためと思われる。
【００４１】
従って、連続する複数のトラックに記録したときは、反射率Ｒ８ＨはＰｗに依存することとなる。
【００４２】
《記録パワーの補正》
情報はディスク内周側から外周側に向かってシーケンシャルに記録される。そこで、トラック番号がＮのトラック（以下、「トラックＮ」ともいう）のところで記録が停止されたときの状況が図８（Ａ）に示されている。図８（Ａ）では、左側がディスク内周側であり、右側がディスク外周側である。このときの、各トラックにおける反射率が図８（Ｂ）に示されている。なお、既記録トラックの反射率はＲ８Ｈである。また、反射率は、最大値（ここでは、Ｒｇｖ（ＢＤ−Ｒの規格書参照））を１として規格化されている。そして、図８（Ｂ）におけるｆ（ｎ）は、反射率とトラック番号ｎとの関係を曲線にフィットさせたときのその曲線を示す関数である。トラックＮ近傍で反射率は大きく変化している。
【００４３】
例えば、（１）記録条件１：Ｐｗ＝７．８ｍＷ（最適な記録パワー）、（２）記録条件２：Ｐｗ＝８．６ｍＷ、（３）記録条件３：Ｐｗ＝９．４ｍＷで、連続する２０トラックに記録した時点で記録を停止し（Ｎ＝２０）、トラック（Ｎ−５）〜トラック（Ｎ＋５）で反射率を測定した。その測定結果が図９に示されている。
【００４４】
ここで、記録条件１のときに、測定された反射率（規格化された値）とトラック番号ｎとの関係を曲線にフィットさせたときのその曲線を示す関数をｆ１（ｎ）とし、記録条件２のときに、測定された反射率（規格化された値）とトラック番号ｎとの関係を曲線にフィットさせたときのその曲線を示す関数をｆ２（ｎ）とし、記録条件３のときに、測定された反射率（規格化された値）とトラック番号ｎとの関係を曲線にフィットさせたときのその曲線を示す関数をｆ３（ｎ）とする。なお、各関数は、ａ０＋ａ１ｎ＋ａ２ｎ２＋・・・で示される多項式であるものとする。
【００４５】
この場合は、関数ｆ１（ｎ）を特定するパラメータ（ここでは、ａ０、ａ１、ａ２、・・・）と、関数ｆ２（ｎ）を特定するパラメータとの差は、記録パワーが最適な記録パワーに対して１０％オーバーであることを示し、関数ｆ１（ｎ）を特定するパラメータと、関数ｆ３（ｎ）を特定するパラメータとの差は、記録パワーが最適な記録パワーに対して２０％オーバーであることを示している。
【００４６】
そこで、ある記録パワーＸで記録されたときに、測定された反射率（規格化された値）とトラック番号ｎとの関係を曲線にフィットさせたときのその曲線を示す関数ｆｘ（ｎ）を求めると、関数ｆ１（ｎ）を特定するパラメータと関数ｆｘ（ｎ）を特定するパラメータとの差から、記録パワーＸの最適な記録パワーに対するずれ量を知ることができる。
【００４７】
そして、最適な記録パワーに対するずれ量に応じて光源の駆動電流を調整することにより、記録パワーを適切な記録パワーとすることができる。
【００４８】
図１に戻り、前記光ピックアップ装置２３は、光ディスク１５の記録層に光を集光するとともに、光ディスク１５からの反射光を受光するための装置である。この光ピックアップ装置２３は、一例として図１０に示されるように、光源ユニット５１、カップリングレンズ５２、偏光ビームスプリッタ５４、１／４波長板５５、対物レンズ６０、集光レンズ５８、光検出器としての受光器ＰＤ、及び対物レンズ６０を駆動するための駆動系ＡＣなどを備えている。
【００４９】
光源ユニット５１は、光ディスク１５に対応する波長（ここでは約４０４ｎｍ）のレーザ光を発光する光源としての半導体レーザＬＤを含んで構成されている。なお、本実施形態では、光源ユニット５１から射出されるレーザ光の最大強度出射方向を＋Ｘ方向とする。また、一例として光源ユニット５１からはＰ偏光の光が射出されるものとする。
【００５０】
この光源ユニット５１の＋Ｘ側には、カップリングレンズ５２が配置され、光源ユニット５１から射出された光を略平行光とする。
【００５１】
偏光ビームスプリッタ５４は、カップリングレンズ５２の＋Ｘ側に配置されている。この偏光ビームスプリッタ５４は、入射する光の偏光状態に応じてその反射率が異なっている。ここでは、偏光ビームスプリッタ５４は、一例としてＰ偏光に対する反射率が小さく、Ｓ偏光に対する反射率が大きくなるように設定されている。すなわち、光源ユニット５１から射出された光の大部分は、偏光ビームスプリッタ５４を透過することができる。この偏光ビームスプリッタ５４の＋Ｘ側には、１／４波長板５５が配置されている。
【００５２】
この１／４波長板５５は、入射した光に１／４波長の光学的位相差を付与する。１／４波長板５５の＋Ｘ側には、対物レンズ６０が配置され、１／４波長板５５を介した光を記録層に集光する。
【００５３】
検出レンズ５８は、偏光ビームスプリッタ５４の−Ｚ側に配置され、偏光ビームスプリッタ５４で−Ｚ方向に分岐した戻り光を受光器５９の受光面に集光する。この受光器５９は、再生信号処理回路２８にてＲＦ信号、ウォブル信号及びサーボ信号などを検出するのに最適な信号（光電変換信号）を生成するための複数の受光素子（又は受光領域）を含んで構成されている。
【００５４】
駆動系ＡＣは、対物レンズ６０の光軸方向であるフォーカス方向に対物レンズ６０を微少駆動するためのフォーカシングアクチュエータ、及びトラッキング方向に対物レンズ６０を微少駆動するためのトラッキングアクチュエータを有している。
【００５５】
図１に戻り、再生信号処理回路２８は、受光器ＰＤの出力信号（複数の光電変換信号）に基づいて、サーボ信号（フォーカスエラー信号やトラックエラー信号など）、反射率情報、アドレス情報、同期情報及びＲＦ信号などを取得する。ここで得られたサーボ信号は駆動制御回路２６に出力され、反射率情報及びアドレス情報はＣＰＵ４０に出力され、同期信号はエンコーダ２５や駆動制御回路２６などに出力される。さらに、再生信号処理回路２８は、ＲＦ信号に対して復号処理及び誤り検出処理などを行い、誤りが検出されたときには誤り訂正処理を行った後、再生データとしてバッファマネージャ３７を介してバッファＲＡＭ３４に格納する。また、再生データに含まれるアドレス情報はＣＰＵ４０に出力される。
【００５６】
駆動制御回路２６は、再生信号処理回路２８からのトラックエラー信号に基づいて、トラッキング方向に関する対物レンズ６０の位置ずれを補正するためのトラッキングアクチュエータの駆動信号を生成する。また、駆動制御回路２６は、再生信号処理回路２８からのフォーカスエラー信号に基づいて、対物レンズ６０のフォーカスずれを補正するためのフォーカシングアクチュエータＡＣの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００５７】
バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、バッファマネージャ３７によって管理されている。
【００５８】
エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００５９】
レーザ制御回路２４は、半導体レーザＬＤの発光パワーを制御する。例えば記録の際には、書き込み信号、記録ストラテジを含む記録条件、及び半導体レーザＬＤの発光特性などに基づいて、半導体レーザＬＤの駆動信号がレーザ制御回路２４にて生成される。
【００６０】
インターフェース３８は、上位装置９０（例えば、パソコン）との双方向の通信インターフェースであり、ＡＴＡＰＩ（ＡＴ  Ａｔｔａｃｈｍｅｎｔ  Ｐａｃｋｅｔ  Ｉｎｔｅｒｆａｃｅ）、ＳＣＳＩ（Ｓｍａｌｌ  Ｃｏｍｐｕｔｅｒ  Ｓｙｓｔｅｍ  Ｉｎｔｅｒｆａｃｅ）及びＵＳＢ（Ｕｎｉｖｅｒｓａｌ  Ｓｅｒｉａｌ  Ｂｕｓ）などの標準インターフェースに準拠している。
【００６１】
フラッシュメモリ３９には、ＣＰＵ４０にて解読可能なコードで記述された本発明の一実施形態に係るプログラムを含む各種プログラム、記録ストラテジを含む記録条件及び半導体レーザＬＤの発光特性などの各種データが格納されている。
【００６２】
ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００６３】
《記録処理》
次に、上位装置９０から記録要求があったときの、光ディスク装置２０における処理（記録処理）について図１１及び図１２を用いて説明する。図１１及び図１２のフローチャートは、ＣＰＵ４０によって実行される一連の処理アルゴリズムに対応している。上位装置９０から記録コマンドを受信すると、フラッシュメモリ３９に格納されている図１１及び図１２のフローチャートに対応するプログラム（以下、「記録処理プログラム」という）の先頭アドレスがＣＰＵ４０のプログラムカウンタにセットされ、記録処理がスタートする。
【００６４】
なお、光ディスク１５には、連続するトラックに記録されたときに、既記録トラックと未記録トラックの境界を含む連続した複数トラックから得られる反射率（規格化された値）とトラック番号ｎとの関係を曲線にフィットさせたときのその曲線を示す関数を特定する情報（以下では、便宜上「関数情報」ともいう）が、適切な記録パワーを含む複数の異なる記録パワー毎にプリフォーマットされている。そして、この関数情報は、光ディスク１５がロードされたときに読み出され、ＲＡＭ４１に格納されているものとする。
【００６５】
また、ここでは、記録パワーの補正効果を検証するため、一例として図１３に示されるように、回転中心からの距離が大きくなるにつれて、最適な記録パワーが徐々に低下するテスト用の光ディスクを光ディスク１５として用いた。
【００６６】
最初のステップＳ４０１では、所定の線速度（又は角速度）で光ディスク１５が回転するように駆動制御回路２６に指示するとともに、上位装置９０から記録コマンドを受信した旨を再生信号処理回路２８に通知する。
【００６７】
次のステップＳ４０３では、ＯＰＣ処理を行い、最適な記録パワーを求める。ここでは、内周側に設けられているＰＣＡ領域を用いてＯＰＣ処理が行われるため、ＯＰＣ処理で求められた最適な記録パワーは８．８ｍＷである。
【００６８】
次のステップＳ４０５では、記録コマンドに基づいて、記録パワーを補正するトラック番号を求める。ここでは、一例として、全てのトラックに記録が行われ、回転中心からの距離が２４ｍｍ、３０ｍｍ、４０ｍｍ、５０ｍｍ、５５ｍｍ、５７ｍｍのトラックで記録パワーを補正するものとする。
【００６９】
次のステップＳ４０７では、書込みを中断するトラックのトラック番号（以下では、「中断トラック番号」と略述する）Ｎに、最初に記録パワーを補正するトラック番号をセットする。ここでは、回転中心からの距離が２４ｍｍの位置にあるトラックのトラック番号がセットされる。
【００７０】
次のステップＳ４０９では、書込みを許可する。これにより、エンコーダ２５、レーザ制御回路２４及び光ピックアップ装置２３などを介して、光ディスク１５への書込みが行われる。
【００７１】
次のステップＳ４１１では、書込み対象のトラック番号が中断トラック番号Ｎと等しいか否かを判断する。書込み対象のトラック番号が中断トラック番号Ｎと等しくなければ、ここでの判断は否定され、所定時間経過後、再度判断する。一方、書込み対象のトラック番号が中断トラック番号Ｎと等しければ、ここでの判断は肯定され、ステップＳ４１３に移行する。
【００７２】
このステップＳ４１３では、書込みの中断を指示する。
【００７３】
次のステップＳ４１５では、再生信号処理回路２８を介して、トラック（Ｎ−４）〜トラック（Ｎ＋４）における反射率を求める。そして、最大値（ここでは、トラック（Ｎ＋４）での値）を１として規格化する。
【００７４】
次のステップＳ４１７では、規格化された反射率とトラック番号ｎとの関係を曲線にフィットさせたときのその曲線を示す関数を求める。
【００７５】
次のステップＳ４１９では、ステップＳ４１７で求めた関数を特定する関数情報とＲＡＭ４１に格納されている関数情報とを比較し、記録パワーのずれ情報を求める。
【００７６】
次のステップＳ４２１では、記録パワーのずれ情報に基づいて、記録パワーの補正を指示する。なお、記録パワーのずれ情報とＬＤの駆動電流との関係は、予め求められており、フラッシュメモリ３９に格納されている。
【００７７】
次のステップＳ４２３では、書込み再開を指示する。
【００７８】
次のステップＳ５０１では、次に記録パワーを補正するトラックがあるか否かを判断する。次に記録パワーを補正するトラックがあると、ここでの判断は肯定され、ステップＳ５０３に移行する。
【００７９】
このステップＳ５０３では、中断トラック番号Ｎに、次に記録パワーを補正するトラック番号をセットする。ここでは、回転中心からの距離が３０ｍｍの位置にあるトラックのトラック番号がセットされる。そして、上記ステップＳ４１１に戻る。
【００８０】
以下、ステップＳ５０１での判断が否定されるまで、ステップＳ４１１〜Ｓ５０３の処理が繰り返される。
【００８１】
次に記録パワーを補正するトラックがないと、ステップＳ５０１での判断が否定され、ステップＳ５０５に移行する。
【００８２】
このステップＳ５０５では、上位装置９０から指示された記録用データのすべてが書き込まれたか否かを判断する。上位装置９０から指示された記録用データのすべてが書き込まれていなければ、ここでの判断は否定され、所定時間経過後に再度判断する。上位装置９０から指示された記録用データのすべてが書き込まれていれば、ここでの判断は肯定され、ステップＳ５０７に移行する。
【００８３】
このステップＳ５０７では、上位装置９０に記録完了を通知する。そして、記録処理を終了する。
【００８４】
この記録処理における記録パワーが図１４に示されている。上記のように記録パワーを補正することによって、全てのトラックにおいて、最適な記録パワーに近い記録パワーで書込みを行うことができる。そして、一例として図１５に示されるように、全てのトラックにおいて、６．５％以下のジッタを実現することができた。
【００８５】
以上の説明から明らかなように、本実施形態に係る光ディスク装置２０では、ＣＰＵ４０及び該ＣＰＵ４０によって実行されるプログラムとによって、処理装置が構成されている。なお、ＣＰＵ４０によるプログラムに従う処理の少なくとも一部をハードウェアによって構成することとしても良いし、あるいは全てをハードウェアによって構成することとしても良い。
【００８６】
また、本実施形態では、記録媒体としてのフラッシュメモリ３９に記録されているプログラムのうち、図１１及び図１２に対応するプログラムによって、本発明に係るプログラムが実行されている。
【００８７】
そして、上記記録処理にて、本発明に係る記録パワー補正方法及び記録方法が実施されている。
【００８８】
以上説明したように、本実施形態に係る光ディスク装置２０によると、光ディスク１５への記録が連続するトラックに対して行われる際に、複数のトラックにおける既記録トラックと未記録トラックの境界を含む連続した複数トラックを評価領域とし、該評価領域からの反射光により、反射率（記録パワーに依存する評価情報）がトラック毎に求められる。そして、トラック毎の反射率から、既記録トラックに情報が記録されたときの記録パワーの、適切な記録パワーからのずれに関する情報が求められ、該ずれに関する情報に基づいて記録パワーが補正される。ここでは、既記録トラックと未記録トラックの境界近傍の連続した複数トラックからの情報を用いて記録パワーを補正しているため、光ディスクに情報を記録する際の記録パワーを適切な記録パワーに補正することが可能となる。
【００８９】
また、本実施形態では、トラック（Ｎ−４）〜トラック（Ｎ＋４）の９トラックを評価領域としている。これにより、反射率のトラック番号に対する依存性を精度良く求めることができる。
【００９０】
また、本実施形態では、測定された各反射率を、それらのなかの最大値を１として規格化している。これにより、測定値のばらつきの影響を低減することができる。さらに、処理アルゴリズムを簡略化、及び汎用化することができる。
【００９１】
また、本実施形態では、規格化された反射率とトラック番号ｎとの関係を曲線にフィットさせたときのその曲線を示す関数を求め、該関数を特定する関数情報とＲＡＭ４１に格納されている関数情報とを比較して、記録パワーのずれ情報を求めている。これにより、記録パワーのずれ情報を迅速に求めることができる。
【００９２】
また、本実施形態では、適切な記録パワーを含む複数の異なる記録パワー毎の関数情報が、光ディスク１５にプリフォーマットされているため、効率良く記録パワーを補正することができる。
【００９３】
また、上記実施形態では、回転中心からの距離が２４ｍｍ、３０ｍｍ、４０ｍｍ、５０ｍｍ、５５ｍｍ、５７ｍｍのトラックで記録パワーを補正する場合について説明したが、本発明がこれに限定されるものではない。例えば、数ｍｍ毎に記録パワーを補正しても良い。また、光ディスクの種類に応じて補正タイミングを決定しても良い。
【００９４】
また、上記実施形態では、適切な記録パワーを含む複数の異なる記録パワー毎の関数情報が、光ディスク１５にプリフォーマットされている場合について説明したが、これに限らず、適切な記録パワーを含む複数の異なる記録パワー毎の関数情報が、フラッシュメモリ３９に格納されていても良い。
【００９５】
また、上記実施形態では、トラック（Ｎ−４）〜トラック（Ｎ＋４）の９トラックを評価領域とする場合について説明したが、これに限定されるものではない。例えば、光ディスクの特性に応じて評価領域のトラック数を変更しても良い。また、必要とする精度に応じて評価領域のトラック数を変更しても良い。要するに、反射率のトラック番号に対する依存性が得られれば良い。
【００９６】
また、上記実施形態では、測定された各反射率を、それらのなかの最大値を１として規格化する場合について説明したが、これに限定されるものではない。要するに、反射率のトラック番号に対する依存性が得られれば良い。
【００９７】
また、上記実施形態では、規格化された反射率とトラック番号ｎとの関係を曲線にフィットさせたときのその曲線を示す関数を求め、該関数を特定する関数情報とＲＡＭ４１に格納されている関数情報とを比較して、記録パワーのずれ情報を求める場合について説明したが、これに限定されるものではない。例えば、評価領域が最適な記録パワーで記録されたときの反射率（反射率の目標値）が光ディスクにプリフォーマットされているときに、評価領域の各トラックにおける反射率の測定値と目標値と差あるいは差の平均値から記録パワーのずれ情報を求めても良い。
【００９８】
なお、上記実施形態において、反射率Ｒ８Ｈに代えて、Ｒ８ＨとＲ８Ｌの平均反射率、変調度、アシンメトリ、ウォブル信号の振幅、及びウォブル信号のＳＮ比を測定しても良い。これらの測定値をトラック番号ｎの関数として近似することにより、従来よりも記録パワーの補正精度を向上させることができる。
【００９９】
ところで、ＢＤ−Ｒでは、記録速度の高速化が進んでおり、４倍速記録の実用化もされているが、４倍速以上の高速記録では、記録パワーの精度の要求がさらに高くなっている。上記実施形態では、４倍速以上であっても、適切な記録パワーで記録することが可能である。
【０１００】
また、ＣＤ−ＲではランニングＯＰＣが行われている。これは、記録時の戻り光（反射光）に基づいて記録パワーを調整する方法であるが、単純な記録ストラテジを用いて色素材料に記録する場合に限定される。近年の高密度・高速記録対応の光ディスクでは、複雑な記録ストラテジを採用しているため、ランニングＯＰＣでは適切な記録パワーに調整するのは困難である。
【０１０１】
なお、上記実施形態では、光ディスク１５がＢＤ−Ｒの場合について説明したが、これに限らず、例えば、ＢＤ−ＲＥ（Ｂｌｕ−ｒａｙ  Ｄｉｓｃ  Ｒｅｗｒｉｔａｂｌｅ）、ＨＤ  ＤＶＤ−Ｒ（Ｈｉｇｈ  Ｄｅｎｓｉｔｙ  Ｄｉｇｉｔａｌ  Ｖｅｒｓａｔｉｌｅ  Ｄｉｓｃ  Ｒｅｃｏｒｄａｂｌｅ）であっても良い。また、ＣＤ−Ｒ（ＣＤ−Ｒｅｃｏｒｄａｂｌｅ）、ＣＤ−ＲＷ（ＣＤ−Ｒｅｗｒｉｔａｂｌｅ）、ＤＶＤ−Ｒ（ＤＶＤ−Ｒｅｃｏｒｄａｂｌｅ）、ＤＶＤ＋Ｒ（ＤＶＤ＋Ｒｅｃｏｒｄａｂｌｅ）、ＤＶＤ−ＲＷ（ＤＶＤ−Ｒｅｗｒｉｔａｂｌｅ）、ＤＶＤ＋ＲＷ（ＤＶＤ＋Ｒｅｗｒｉｔａｂｌｅ）であっても良い。但し、これらの場合には、光源を対応する光源に代える必要がある。
【０１０２】
また、上記実施形態では、光ディスクが１つの記録層を有する場合について説明したが、これに限らず、光ディスクが複数の記録層を有していてもよい。
【０１０３】
また、上記実施形態では、本発明に係るプログラムは、フラッシュメモリ３９に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９にロードされれば良い。
【０１０４】
また、上記実施形態では、光ピックアップ装置が１つの半導体レーザを備える場合について説明したが、これに限らず、例えば互いに異なる波長の光を発光する複数の半導体レーザを備えていても良い。すなわち、光ディスク装置が互いに異なる規格に準拠した複数種類の光ディスクに対応する光ディスク装置であっても良い。
【０１０５】
《情報処理装置》
次に、本発明の一実施形態に係る情報処理装置を図１６に基づいて説明する。
【０１０６】
この情報処理装置１０は、主制御装置９２、前記光ディスク装置２０、ハードディスク装置（ＨＤＤ）９４、入力装置９５、表示装置９６、及びドライブインターフェース９７などを備えている。
【０１０７】
前記ＨＤＤ９４は、ハードディスク９４ｂと、該ハードディスク９４ｂを駆動するための駆動装置９４ａなどから構成されている。
【０１０８】
前記表示装置９６は、例えばＣＲＴ、液晶ディスプレイ（ＬＣＤ）及びプラズマ・ディスプレイ・パネル（ＰＤＰ）などを用いた表示部（図示省略）を備え、主制御装置９２から指示された各種情報を表示する。
【０１０９】
前記入力装置９５は、例えばキーボード、マウス、タブレット、ライトペン及びタッチパネルなどのうち少なくとも１つの入力媒体（図示省略）を備え、ユーザから入力された各種情報を主制御装置９２に通知する。なお、入力媒体からの情報はワイヤレス方式で入力されても良い。また、表示装置９６と入力装置９５とが一体化されたものとして、例えばタッチパネル付きＬＣＤなどがある。
【０１１０】
前記ドライブインターフェース９７は、主制御装置９２と、光ディスク装置２０及びＨＤＤ９４との双方向のインターフェースであり、前記光ディスク装置２０のインターフェース３８と同じ標準インターフェースに準拠している。
【０１１１】
このように構成される情報処理装置１０において、ユーザが、入力装置９５を介して、光ディスク１５に対する記録要求を入力すると、主制御装置９２は、記録コマンド及び記録用データを光ディスク装置２０に送信する。
【０１１２】
光ディスク装置２０は、記録コマンドを受信すると、上記記録処理を行う。
【０１１３】
主制御装置９２は、光ディスク装置２０での記録結果を表示装置９６の表示部に表示する。
【０１１４】
以上説明したように、本実施形態に係る情報処理装置１０によると、光ディスクに安定した記録品質で記録を行うことができる光ディスク装置２０を備えているため、結果として、光ディスクに対して、安定したアクセスを行うことが可能となる。
【０１１５】
なお、上記情報処理装置１０において、前記光ディスク装置２０は、いわゆる内蔵タイプであっても良いし、いわゆる外付けタイプであっても良い。
【産業上の利用可能性】
【０１１６】
以上説明したように、本発明の記録パワー補正方法によれば、光ディスクに情報を記録する際の記録パワーを適切な記録パワーに補正するのに適している。また、本発明の記録方法によれば、光ディスクに安定した記録品質で記録を行うのに適している。また、本発明のプログラム及び記録媒体によれば、光ディスク装置の制御用コンピュータに、光ディスクに情報を記録する際の記録パワーを適切な記録パワーに補正させるのに適している。また、本発明の光ディスク装置によれば、光ディスクに安定した記録品質で記録を行うのに適している。また、本発明の情報処理装置によれば、光ディスクに対して、安定したアクセスを行うのに適している。また、本発明の光ディスクによれば、安定した記録品質で情報を記録するのに適している。
【図面の簡単な説明】
【０１１７】
【図１】本発明の一実施形態に係る光ディスク装置の概略構成を示すブロック図である。
【図２】図２（Ａ）〜図２（Ｃ）は、それぞれ記録ストラテジを説明するための図（その１）である。
【図３】図３（Ａ）〜図３（Ｃ）は、それぞれ記録ストラテジを説明するための図（その２）である。
【図４】図４（Ａ）及び図４（Ｂ）は、それぞれ記録ストラテジを説明するための図（その３）である。
【図５】図２（Ａ）〜図４（Ｂ）における各パラメータの具体例を説明するための図である。
【図６】連続するトラックに記録したときの反射率Ｒ８Ｈ及びジッタと記録パワーとの関係を説明するための図である。
【図７】連続するトラックに記録したとき及び１つのトラックのみに記録したときにおける、反射率Ｒ８Ｈと記録パワーとの関係を説明するための図である。
【図８】図８（Ａ）は、既記録トラックと未記録トラックの境界を含む連続した複数トラックからなる評価領域を説明するための図であり、図８（Ｂ）は、評価領域における反射率を説明するための図である。
【図９】記録条件による評価領域における反射率の違いを説明するための図である。
【図１０】図１における光ピックアップ装置を説明するための図である。
【図１１】光ディスク装置における記録処理を説明するためのフローチャート（その１）である。
【図１２】光ディスク装置における記録処理を説明するためのフローチャート（その２）である。
【図１３】記録処理で用いられたテスト用の光ディスクを説明するための図である。
【図１４】記録処理で補正された記録パワーを説明するための図である。
【図１５】記録処理後のジッタを説明するための図である。
【図１６】本発明の一実施形態に係る情報処理装置の概略構成を示すブロック図である。
【符号の説明】
【０１１８】
１０…情報処理装置、１５…光ディスク、２０…光ディスク装置、２３…光ピックアップ装置、３９…フラッシュメモリ（記録媒体）、４０…ＣＰＵ（処理装置）、９２…主制御装置（制御装置）。
【図１】
2008234719.tif 000003
【図２】
2008234719.tif 000004
【図３】
2008234719.tif 000005
【図４】
2008234719.tif 000006
【図５】
2008234719.tif 000007
【図６】
2008234719.tif 000008
【図７】
2008234719.tif 000009
【図８】
2008234719.tif 000010
【図９】
2008234719.tif 000011
【図１０】
2008234719.tif 000012
【図１１】
2008234719.tif 000013
【図１２】
2008234719.tif 000014
【図１３】
2008234719.tif 000015
【図１４】
2008234719.tif 000016
【図１５】
2008234719.tif 000017
【図１６】
2008234719.tif 000018